(57)【要約】  燃料電池と、電力供給装置の内部に配され、燃料電池に酸化剤を供給する酸化剤供給路と、（ｉ）電力供給装置の外部に配された配管、及び、（ｉｉ）酸化剤供給路を接続する酸化剤用接続部とを備え、作業機械に着脱可能に構成された電力供給装置を保管する。作業機械から取り外された電力供給装置を保管する保管部と、燃料電池及び酸化剤供給路をパージするためのパージガスを貯蔵するパージガス貯蔵部と、電力供給装置の外部に配された配管であって、その一端が、電力供給装置の酸化剤用接続部に接続され、且つ、その他端が、パージガス貯蔵部に接続に接続されるパージガス配管と、電力供給装置に供給されるパージガスの流量を調整するパージガス流量調整部とを備える。
2020136768.tif 000002
【特許請求の範囲】
【請求項１】
作業機械に電力を供給する電力供給装置であって、前記作業機械に着脱可能に構成された電力供給装置を保管する保管システムであって、
前記電力供給装置は
燃料電池と、
前記電力供給装置の内部に配され、前記燃料電池に酸化剤を供給する酸化剤供給路と、
（ｉ）前記電力供給装置の外部に配された配管、及び、（ｉｉ）前記酸化剤供給路を接続する酸化剤用接続部と、
を備え、
前記保管システムは、
前記作業機械から取り外された前記電力供給装置を保管する保管部と、
前記燃料電池及び前記酸化剤供給路をパージするためのパージガスを貯蔵するパージガス貯蔵部と、
前記電力供給装置の外部に配された配管であって、その一端が、前記電力供給装置の前記酸化剤用接続部に接続され、且つ、その他端が、前記パージガス貯蔵部に接続に接続されるパージガス配管と、
前記電力供給装置に供給される前記パージガスの流量を調整するパージガス流量調整部と、
を備える、保管システム。
【請求項２】
前記保管部は、前記作業機械において少なくとも一度使用された前記電力供給装置を、前記電力供給装置が前記作業機械から取り外された状態で保管する、
請求項１に記載の保管システム。
【請求項３】
前記電力供給装置は、前記電力供給装置の内部に配され、電力を利用して、前記酸化剤供給路を介して、前記燃料電池に酸化剤を供給する第１酸化剤供給部をさらに備え、
前記保管システムは、前記第１酸化剤供給部に電力を供給する電源をさらに備える、
請求項１又は請求項２に記載の保管システム。
【請求項４】
前記保管部は、
前記第１酸化剤供給部を備える第１の前記電力供給装置を保管する第１保管部と、
前記第１酸化剤供給部を備えない第２の前記電力供給装置を保管する第２保管部と、
を有する、
請求項３に記載の保管システム。
【請求項５】
前記保管システムは、前記電力供給装置の外部に配され、前記酸化剤用接続部及び前記酸化剤供給路を介して、前記第２の電力供給装置の前記燃料電池に酸化剤を供給する第２酸化剤供給部をさらに備える、
請求項４に記載の保管システム。
【請求項６】
前記保管部は、前記電力供給装置を密封して収容する収容部を有する、
請求項１から請求項５までの何れか一項に記載の保管システム。
【請求項７】
前記電力供給装置の外部に配された配管であって、その一端が、前記電力供給装置の前記酸化剤用接続部に接続され、前記酸化剤供給路に酸化剤を供給する酸化剤配管をさらに備え、
前記酸化剤配管と、前記収容部との接続部分は封止されている、
請求項６に記載の保管システム。
【請求項８】
前記電力供給装置の外部に配された配管であって、その一端が、前記電力供給装置の前記酸化剤用接続部に接続され、前記酸化剤供給路に酸化剤を供給する酸化剤配管をさらに備え、
前記酸化剤用接続部は、前記酸化剤供給路と、前記パージガス配管及び前記酸化剤配管とを接続し、
前記酸化剤用接続部は、
前記酸化剤供給路及び前記パージガス配管の連通状態を調整する第１調整部と、
前記酸化剤供給路及び前記酸化剤配管の連通状態を調整する第２調整部と、
を有する、
請求項１から請求項６までの何れか一項に記載の保管システム。
【請求項９】
前記保管部に保管された前記電力供給装置の状態を管理する管理部をさらに備える、
請求項１から請求項８までの何れか一項に記載の保管システム。
【請求項１０】
前記管理部は、
前記保管部の周辺環境の状態を示す情報を取得する環境情報取得部と、
前記環境情報取得部が取得した前記情報に基づいて、前記保管部に保管された前記電力供給装置の価値を評価する価値評価部と、
を有する、
請求項９に記載の保管システム。
【請求項１１】
前記管理部は、前記価値評価部が評価した前記電力供給装置の価値に基づいて、前記電力供給装置の保管態様を決定する保管態様決定部を有する、
請求項１０に記載の保管システム。
【請求項１２】
前記保管態様決定部は、前記価値評価部による前記電力供給装置の価値の評価が予め定められた基準よりも低い場合、前記保管部に保管されている前記電力供給装置を稼働して電力を発生させることを決定する、
請求項１１に記載の保管システム。
【請求項１３】
前記保管部は、複数の前記電力供給装置を保管し、
前記価値評価部は、前記複数の電力供給装置のそれぞれの価値を評価し、
前記保管態様決定部は、前記複数の電力供給装置のうち、前記価値評価部による評価が予め定められた条件を満足する電力供給装置について、当該電力供給装置を稼働して電力を発生させることを決定する、
請求項１１に記載の保管システム。
【発明の詳細な説明】
【技術分野】
【０００１】
本発明は、保管システムに関する。
【背景技術】
【０００２】
燃料電池スタックの未使用期間における劣化を防止するために、燃料電池スタックの酸化剤流路及び還元剤流路の内部の酸素濃度を低下させたり、燃料電池を脱酸素剤とともにカバーの内部に収容したりすることが知られている（例えば、特許文献１〜３を参照）。
［先行技術文献］
［特許文献］
［特許文献１］  特開２００６−０３２３２３号公報
［特許文献２］  特開２００６−０７３２９７号公報
［特許文献３］  特開２０１８−０３７２７１号公報
【解決しようとする課題】
【０００３】
しかしながら、従来の保管方法では、燃料電池スタック内の酸素濃度が小さい状態を長期間にわたって維持することが難しい。
【一般的開示】
【０００４】
本発明の第１の態様においては、保管システムが提供される。上記の保管システムは、例えば、電力供給装置を保管する。上記の電力供給装置は、例えば、作業機械に電力を供給する。上記の電力供給装置は、例えば、作業機械に着脱可能に構成される。上記の電力供給装置は、例えば、燃料電池を備える。上記の電力供給装置は、例えば、電力供給装置の内部に配され、燃料電池に酸化剤を供給する酸化剤供給路を備える。上記の電力供給措置は、例えば、（ｉ）電力供給装置の外部に配された配管、及び、（ｉｉ）酸化剤供給路を接続する酸化剤用接続部を備える。上記の保管システムは、例えば、作業機械から取り外された電力供給装置を保管する保管部を備える。上記の保管システムは、例えば、燃料電池及び酸化剤供給路をパージするためのパージガスを貯蔵するパージガス貯蔵部を備える。上記の保管システムは、例えば、電力供給装置の外部に配された配管であって、その一端が、電力供給装置の酸化剤用接続部に接続され、且つ、その他端が、パージガス貯蔵部に接続に接続されるパージガス配管を備える。上記の保管システムは、例えば、電力供給装置に供給されるパージガスの流量を調整するパージガス流量調整部を備える。
【０００５】
上記の保管システムにおいて、保管部は、作業機械において少なくとも一度使用された電力供給装置を、電力供給装置が作業機械から取り外された状態で保管してよい。上記の保管システムにおいて、電力供給装置は、電力供給装置の内部に配され、電力を利用して、酸化剤供給路を介して、燃料電池に酸化剤を供給する第１酸化剤供給部を備えてよい。上記の保管システムは、第１酸化剤供給部に電力を供給する電源を備えてよい。
【０００６】
上記の保管システムにおいて、保管部は、第１酸化剤供給部を備える第１の電力供給装置を保管する第１保管部を備えてよい。上記の保管システムにおいて、保管部は、第１酸化剤供給部を備えない第２の電力供給装置を保管する第２保管部を備えてよい。上記の保管システムは、電力供給装置の外部に配され、酸化剤用接続部及び酸化剤供給路を介して、第２の電力供給装置の燃料電池に酸化剤を供給する第２酸化剤供給部を備えてよい。
【０００７】
上記の保管システムにおいて、保管部は、電力供給装置を密封して収容する収容部を有してよい。上記の保管システムは、電力供給装置の外部に配された配管であって、その一端が、電力供給装置の酸化剤用接続部に接続され、酸化剤供給路に酸化剤を供給する酸化剤配管を備えてよい。上記の保管システムにおいて、酸化剤配管と、収容部との接続部分は封止されていてよい。
【０００８】
上記の保管システムは、電力供給装置の外部に配された配管であって、その一端が、電力供給装置の酸化剤用接続部に接続され、酸化剤供給路に酸化剤を供給する酸化剤配管を備えてよい。上記の保管システムにおいて、酸化剤用接続部は、酸化剤供給路と、パージガス配管及び酸化剤配管とを接続してよい。上記の保管システムにおいて、酸化剤用接続部は、酸化剤供給路及びパージガス配管の連通状態を調整する第１調整部を有してよい。上記の保管システムにおいて、酸化剤用接続部は、酸化剤供給路及び酸化剤配管の連通状態を調整する第２調整部を有してよい。
【０００９】
上記の保管システムは、保管部に保管された電力供給装置の状態を管理する管理部を備えてよい。上記の保管システムにおいて、管理部は、保管部の周辺環境の状態を示す情報を取得する環境情報取得部を有してよい。上記の保管システムにおいて、管理部は、環境情報取得部が取得した情報に基づいて、保管部に保管された電力供給装置の価値を評価する価値評価部を有してよい。
【００１０】
上記の保管システムにおいて、管理部は、価値評価部が評価した電力供給装置の価値に基づいて、電力供給装置の保管態様を決定する保管態様決定部を有してよい。上記の保管システムにおいて、保管態様決定部は、価値評価部による電力要求装置の価値の評価が予め定められた基準よりも低い場合、保管部に保管されている電力供給装置を稼働して電力を発生させることを決定してよい。
【００１１】
上記の保管システムにおいて、保管部は、複数の電力供給装置を保管してよい。上記の保管システムにおいて、価値評価部は、複数の電力供給装置のそれぞれの価値を評価してよい。上記の保管システムにおいて、保管態様決定部は、複数の電力供給装置のうち、価値評価部による評価が予め定められた条件を満足する電力供給装置について、当該電力供給装置を稼働して電力を発生させることを決定してよい。
【００１２】
なお、上記の発明の概要は、本発明の必要な特徴の全てを列挙したものではない。また、これらの特徴群のサブコンビネーションもまた、発明となりうる。
【図面の簡単な説明】
【００１３】
【図１】燃料電池管理システムのシステム構成の一例を概略的に示す。
【図２】車両２０のシステム構成の一例を概略的に示す。
【図３】燃料電池システム２４２の内部構成の一例を概略的に示す。
【図４】発電用ユーティリティコネクタ３２６の内部構成の一例を概略的に示す。
【図５】保管装置１２０の内部構成の一例を概略的に示す。
【図６】支持部５１０の内部構成の一例を概略的に示す。
【図７】管理サーバ１４０のシステム構成の一例を概略的に示す。
【図８】コンピュータ３０００のシステム構成の一例を概略的に示す。
【発明を実施するための形態】
【００１４】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１５】
［燃料電池管理システムの概要］
図１は、燃料電池管理システム１００のシステム構成の一例を概略的に示す。本実施形態において、燃料電池管理システムは、保管装置１２０と、管理サーバ１４０とを備える。本実施形態において、保管装置１２０は、１以上の保管容器１２２と、保管環境調整部１２４とを備える。
【００１６】
本実施形態においては、車両２０に搭載された電源システム４０が、着脱式の燃料電池ユニット４２を有し、燃料電池管理システム１００が、電源システム４０から取り外された燃料電池ユニット４２を保管する場合を例として、燃料電池管理システム１００の詳細が説明される。本実施形態において、燃料電池管理システム１００は、保管期間中における燃料電池ユニット４２の劣化の進行が抑制されるように、燃料電池ユニット４２の保管状態を調整する。
【００１７】
本実施形態において、車両２０、保管装置１２０及び管理サーバ１４０のそれぞれは、通信ネットワーク１０を介して、互いに情報を送受することができる。本実施形態において、通信ネットワーク１０は、有線通信の伝送路であってもよく、無線通信の伝送路であってもよく、無線通信の伝送路及び有線通信の伝送路の組み合わせであってもよい。
【００１８】
通信ネットワーク１０は、無線パケット通信網、インターネット、Ｐ２Ｐネットワーク、専用回線、ＶＰＮ、電力線通信回線などを含んでもよい。通信ネットワーク１０は、携帯電話回線網などの移動体通信網を含んでもよい。通信ネットワーク１０は、無線ＭＡＮ（例えば、ＷｉＭＡＸ（登録商標）である。）、無線ＬＡＮ（例えば、ＷｉＦｉ（登録商標）である。）、Ｂｌｕｅｔｏｏｔｈ（登録商標）、Ｚｉｇｂｅｅ（登録商標）、ＮＦＣ（Ｎｅａｒ  Ｆｉｅｌｄ  Ｃｏｍｍｕｎｉｃａｔｉｏｎ）などの無線データ通信網を含んでもよい。通信ネットワーク１０は、車車間通信、路車間通信などのＶ２Ｘ用の通信回線を含んでもよい。
【００１９】
本実施形態において、車両２０は、人及び物品の少なくとも一方を運搬する作業（運搬作業と称される場合がある。）を実施する。車両２０は、運転者の操作により運搬作業を実施してもよく、自動運転により運搬作業を実施してもよい。なお、車両２０により実施される作業は運搬作業に限定されない。車両２０は、電力を利用して、運搬作業に代えて又は運搬作業と伴に、任意の作業を実施してよい。
【００２０】
車両２０としては、自動車、自動二輪車、電車などが例示される。自動二輪車としては、（ｉ）バイク、（ｉｉ）三輪バイク、（ｉｉｉ）セグウェイ（登録商標）、動力ユニット付きキックボード（登録商標）、動力ユニット付きスケートボードのような、動力ユニットを有する立ち乗り二輪車又は三輪車などが例示される。車両２０の詳細は後述される。
【００２１】
本実施形態において、電源システム４０は、車両２０の各部に電力を供給する。電源システム４０は、車両２０が移動するための電力を供給してよい。本実施形態において、電源システム４０は、燃料電池ユニット４２が発生させた電力を、車両２０に供給する。単一の電源システム４０が、単一の燃料電池ユニット４２を有してもよく、単一の電源システム４０が、複数の燃料電池ユニット４２を有してもよい。電源システム４０の詳細は後述される。
【００２２】
本実施形態において、燃料電池ユニット４２は、車両２０に搭載された電源システム４０に対して着脱自在に構成されている。一実施形態において、特定の電源システム４０から取り外された燃料電池ユニット４２は、保管装置１２０で保管された後、当該特定の電源システム４０に取り付けられる。他の実施形態において、特定の電源システム４０から取り外された燃料電池ユニット４２は、保管装置１２０で保管された後、他の電源システム４０に取り付けられる。他の実施形態において、特定の電源システム４０から燃料電池ユニット４２が取り外された後、保管装置１２０に保管されている他の燃料電池ユニット４２が、当該特定の電源システム４０に取り付けられる。燃料電池ユニット４２の詳細は後述される。
【００２３】
本実施形態において、保管装置１２０は、１以上の電源システム４０のそれぞれから取り外された１以上の燃料電池ユニット４２を保管する。保管装置１２０は、電源システム４０において少なくとも一度使用された燃料電池ユニット４２を、燃料電池ユニット４２が電源システム４０から取り外された状態で保管してよい。
【００２４】
本実施形態において、１以上の保管容器１２２は、電源システム４０から取り外された燃料電池ユニット４２を保管する。単一の保管容器１２２が、単一の燃料電池ユニット４２を収容してもよく、単一の保管容器１２２が、複数の燃料電池ユニット４２を収容してもよい。保管容器１２２は、燃料電池ユニット４２を密封して収容してもよい。
【００２５】
保管容器１２２の材料として、非通気性の材料が使用されてよい。これにより、保管容器１２２は、燃料電池ユニット４２を密封して収容することができる。非通気性の材料としては、例えば、２０℃の雰囲気における通気量が１０００ ｍＬ／（ｍ２・ｄａｙ・ａｔｍ）以下、好ましくは５００ ｍＬ／（ｍ２・ｄａｙ・ａｔｍ）以下、より好ましくは２００ ｍＬ／（ｍ２・ｄａｙ・ａｔｍ）以下の材料が用いられる。非通気性の材料としては、（ｉ）ポリ塩化ビニリデン、（ｉｉ）ＯＰＰフィルムにポリ塩化ビニリデンをコートした材料（ＫＯＰと称される場合がある）、（ｉｉｉ）ポリエステルフィルムにポリ塩化ビニリデンをコートした材料（ＫＰＥＴと称される場合がある）、（ｉｖ）ナイロンにポリ塩化ビニリデンをコートした材料（ＫＯＮと称される場合がある）などが例示される。
【００２６】
これにより、保管容器１２２の内部の環境（雰囲気と称される場合もある。）が、保管容器１２２の外部の環境とは異なる状態に維持され得る。例えば、保管容器１２２の内部の酸素濃度が、保管容器１２２の外部の酸素濃度よりも小さな状態に維持される。保管容器１２２の内部の環境が調整されることで、燃料電池ユニット４２の保管状態が管理され得る。保管容器１２２の詳細は後述される。
【００２７】
本実施形態において、保管環境調整部１２４は、燃料電池ユニット４２の保管環境を調整する。例えば、保管環境調整部１２４は、１以上の保管容器１２２のそれぞれの内部の環境を調整する。より具体的には、保管環境調整部１２４は、１以上の保管容器１２２のそれぞれの内部の温度、湿度、酸素濃度、水素濃度及び微粒子濃度の少なくとも１つを調整する。これにより、燃料電池ユニット４２の劣化の進行が抑制され得る。保管環境調整部１２４の詳細は後述される。
【００２８】
本実施形態において、管理サーバ１４０は、１以上の燃料電池ユニット４２を管理する。一実施形態において、管理サーバ１４０は、１以上の燃料電池ユニット４２のそれぞれの状態を管理する。燃料電池ユニット４２の状態としては、燃料電池ユニット４２の稼働状態、燃料電池ユニット４２の保管状態などが例示される。他の実施形態において、管理サーバ１４０は、保管装置１２０の動作を管理する。これにより、管理サーバ１４０は、１以上の燃料電池ユニット４２のそれぞれの保管状態を管理することができる。管理サーバ１４０の詳細は後述される。
【００２９】
車両２０は、作業機械の一例であってよい。運搬作業は、作業の一例であってよい。電源システム４０は、作業機械の一例であってよい。燃料電池ユニット４２は、電力供給装置の一例であってよい。燃料電池管理システム１００は、保管システムの一例であってよい。保管装置１２０は、保管システムの一例であってよい。保管容器１２２は、保管部及び収容部の一例であってよい。管理サーバ１４０は、管理部の一例であってよい。
【００３０】
［燃料電池管理システム１００の各部の具体的な構成］
燃料電池管理システム１００の各部は、ハードウエアにより実現されてもよく、ソフトウエアにより実現されてもよく、ハードウエア及びソフトウエアにより実現されてもよい。燃料電池管理システム１００の各部は、その少なくとも一部が、単一のサーバによって実現されてもよく、複数のサーバによって実現されてもよい。燃料電池管理システム１００の各部は、その少なくとも一部が、仮想マシン上又はクラウドシステム上で実現されてもよい。燃料電池管理システム１００の各部は、ブロックチェーンなどの分散型台帳技術又は分散型ネットワークを利用して、情報を格納してもよい。
【００３１】
燃料電池管理システム１００の各部は、その少なくとも一部が、パーソナルコンピュータ又は携帯端末によって実現されてもよい。例えば、パーソナルコンピュータ又は携帯端末が、燃料電池管理システム１００の各部のユーザインタフェースとして利用される。携帯端末としては、携帯電話、スマートフォン、ＰＤＡ、タブレット、ノートブック・コンピュータ又はラップトップ・コンピュータ、ウエアラブル・コンピュータなどが例示される。
【００３２】
燃料電池管理システム１００を構成する構成要素の少なくとも一部がソフトウエアにより実現される場合、当該ソフトウエアにより実現される構成要素は、一般的な構成の情報処理装置において、当該構成要素に関する動作を規定したプログラムを起動することにより実現されてよい。上記の情報処理装置は、例えば、（ｉ）ＣＰＵ、ＧＰＵなどのプロセッサ、ＲＯＭ、ＲＡＭ、通信インタフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備える。
【００３３】
上記の情報処理装置において、上記のデータ処理装置又は記憶装置は、プログラムを格納してよい。上記のプログラムは、非一時的なコンピュータ可読記録媒体に格納されてよい。上記のプログラムは、プロセッサによって実行されることにより、上記の情報処理装置に、当該プログラムによって規定された動作を実行させる。
【００３４】
プログラムは、非一時的なコンピュータ可読記録媒体に格納されていてもよい。プログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。プログラムは、コンピュータ読み取り可能な媒体又はネットワークに接続された記憶装置から、燃料電池管理システム１００の少なくとも一部を構成するコンピュータにインストールされてよい。プログラムが実行されることにより、コンピュータが、燃料電池管理システム１００の各部の少なくとも一部として機能してもよい。
【００３５】
コンピュータを燃料電池管理システム１００の各部の少なくとも一部として機能させるプログラムは、燃料電池管理システム１００の各部の動作を規定したモジュールを備えてよい。これらのプログラム又はモジュールは、データ処理装置、入力装置、出力装置、記憶装置等に働きかけて、コンピュータを燃料電池管理システム１００の各部として機能させたり、コンピュータに燃料電池管理システム１００の各部における情報処理方法を実行させたりする。
【００３６】
プログラムに記述された情報処理は、当該プログラムがコンピュータに読込まれることにより、当該プログラムに関連するソフトウエアと、燃料電池管理システム１００の各種のハードウエア資源とが協働した具体的手段として機能する。そして、上記の具体的手段が、本実施形態におけるコンピュータの使用目的に応じた情報の演算又は加工を実現することにより、当該使用目的に応じた燃料電池管理システム１００が構築される。
【００３７】
［車両２０の概要］
図２は、車両２０のシステム構成の一例を概略的に示す。本実施形態において、車両２０は、電源システム４０と、車両駆動部２２２と、車両制御部２２４と、通信部２２６とを備える。本実施形態において、電源システム４０は、燃料電池システム２４２と、蓄電部２４４と、電力変換部２４６と、電力制御部２４８とを有する。車両２０の各部は、例えば、互いに情報を送受するよう構成される。
【００３８】
本実施形態において、車両駆動部２２２は、車両駆動部２２２は、電源システム４０が供給する電力を利用して、車両２０の各部を駆動する。車両駆動部２２２は、車両２０を駆動するためのモータであってよい。車両駆動部２２２は、車両２０の室内空間の空気環境を調整するための空調設備であってもよい。
【００３９】
本実施形態において、車両制御部２２４は、車両２０を制御する。車両制御部２２４は、車両駆動部２２２を制御してもよい。例えば、車両制御部２２４は、車両駆動部２２２に配された各種のセンサから、車両駆動部２２２の状態を示す情報を取得する。車両制御部２２４は、車両駆動部２２２の動作を制御してよい。車両制御部２２４は、車両駆動部２２２への電力供給を制御してよい。
【００４０】
本実施形態において、車両制御部２２４は、電源システム４０を制御してもよい。例えば、電源システム４０に配された各種のセンサから、電源システム４０の状態を示す情報を取得する。車両制御部２２４は、電源システム４０の動作を制御してよい。例えば、電源システム４０が複数の運転モードを有する場合、車両制御部２２４は、電源システム４０の運転モードを制御する。運転モードは、例えば、（ｉ）出力電力の大きさ、（ｉｉ）出力命令に対する追従性又は応答性、（ｉｉｉ）燃費又は発電効率、及び、（ｉｖ）劣化の抑制からなる群から選択される１又は複数の特性を、選択されていない他の特性よりも優先させるための運転条件と対応付けられる。
【００４１】
本実施形態において、通信部２２６は、外部の情報処理装置との間で情報を送受する。例えば、通信部２２６は、保管装置１２０及び管理サーバ１４０の少なくとも一方との間で情報を送受する。通信部２２６は、車両制御部２２４から受け取った情報を、保管装置１２０及び管理サーバ１４０の少なくとも一方に送信してよい。通信部２２６は、保管装置１２０及び管理サーバ１４０の少なくとも一方から受信した情報を、車両制御部２２４に出力してよい。通信部２２６は、１又は複数の通信方式に対応してよい。
【００４２】
本実施形態において、燃料電池システム２４２は、燃料電池ユニット４２を備える。燃料電池システム２４２は、燃料電池ユニット４２が発生させた電力を車両２０に供給してよい。例えば、燃料電池システム２４２は、燃料電池ユニット４２が発生させた電力を車両駆動部２２２に供給する。燃料電池システム２４２の詳細は後述される。
【００４３】
本実施形態において、蓄電部２４４は、電力を蓄積する。蓄電部２４４は、蓄積された電力を車両２０に供給してよい。例えば、蓄電部２４４は、蓄積された電力を車両駆動部２２２に供給する。
【００４４】
本実施形態において、電力変換部２４６は、電力を変換する。電力変換部２４６は、直流を交流に変換してもよく、交流を直流に変換してもよく、入力された直流電圧を別の直流電圧に変換してもよい。電力変換部２４６は、双方向ＤＣ−ＤＣコンバータを含んでよい。
【００４５】
電力変換部２４６は、電力の流通状態を切り替えてよい。電力変換部２４６は、入力された電力の供給先を切り替えてよい。電力変換部２４６は、燃料電池システム２４２が発生させた電力を、車両駆動部２２２に供給してよい。電力変換部２４６は、燃料電池システム２４２が発生させた電力を、蓄電部２４４に供給してもよい。電力変換部２４６は、蓄電部２４４が蓄積した電力を、燃料電池システム２４２に供給してもよい。電力変換部２４６は、蓄電部２４４が蓄積した電力を、車両駆動部２２２に供給してよい。電力変換部２４６は、車両駆動部２２２からの回生電力を、蓄電部２４４に供給してよい。
【００４６】
本実施形態において、電力制御部２４８は、電力変換部２４６を制御する。電力制御部２４８は、電力変換部２４６を制御して、電力を変換してよい。電力制御部２４８は、電力変換部２４６を制御して、電力供給の開始又は停止のタイミングを制御してもよい。電力制御部２４８は、電力変換部２４６を制御して、入力された電力の供給先を制御してもよい。
【００４７】
車両駆動部２２２は、作業機械の一例であってよい。燃料電池システム２４２は、電力供給装置の一例であってよい。
【００４８】
本実施形態において、車両２０が運輸作業を実施する場合を例として、作業を実施する作業機械の詳細が説明された。しかしながら、作業機械は、車両２０に限定されない。作業機械の他の例としては、運輸機器、輸送機器、清掃機器、空調機器、照明機器、ロボットなどが例示される。運輸機器としては、移動体、重機、農作業機、除雪機、エレベータ、エスカレータなどが例示される。
【００４９】
移動体としては、車両、船舶、飛行体などが例示される。船舶としては、船、ホバークラフト、水上バイク、潜水艦、潜水艇、水中スクータなどを例示することができる。飛行体としては、飛行機、飛行船又は風船、気球、ヘリコプター、ドローンなどを例示することができる。輸送機器としては、ポンプ、ブロワ、噴霧器、洗浄機などが例示される。清掃機器としては、掃除機、洗濯機などが例示される。
【００５０】
［車両２０の各部の具体的な構成］
車両２０の各部は、ハードウエアにより実現されてもよく、ソフトウエアにより実現されてもよく、ハードウエア及びソフトウエアにより実現されてもよい。車両２０の各部は、その少なくとも一部が、単一のサーバによって実現されてもよく、複数のサーバによって実現されてもよい。車両２０の各部は、その少なくとも一部が、仮想マシン上又はクラウドシステム上で実現されてもよい。例えば、上記のサーバ、仮想マシン又はクラウドシステム上で実現される人工知能が、車両２０の各部における情報処理の一部を実行してもよい。車両２０の各部は、ブロックチェーンなどの分散型台帳技術又は分散型ネットワークを利用して、情報を格納してもよい。
【００５１】
車両２０の各部は、その少なくとも一部が、パーソナルコンピュータ又は携帯端末によって実現されてもよい。例えば、パーソナルコンピュータ又は携帯端末が、燃料電池管理システム１００の各部のユーザインタフェースとして利用される。携帯端末としては、携帯電話、スマートフォン、ＰＤＡ、タブレット、ノートブック・コンピュータ又はラップトップ・コンピュータ、ウエアラブル・コンピュータなどが例示される。
【００５２】
車両２０を構成する構成要素の少なくとも一部がソフトウエアにより実現される場合、当該ソフトウエアにより実現される構成要素は、一般的な構成の情報処理装置において、当該構成要素に関する動作を規定したプログラムを起動することにより実現されてよい。上記の情報処理装置は、例えば、（ｉ）ＣＰＵ、ＧＰＵなどのプロセッサ、ＲＯＭ、ＲＡＭ、通信インタフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備える。
【００５３】
上記の情報処理装置において、上記のデータ処理装置又は記憶装置は、プログラムを格納してよい。上記のプログラムは、非一時的なコンピュータ可読記録媒体に格納されてよい。上記のプログラムは、プロセッサによって実行されることにより、上記の情報処理装置に、当該プログラムによって規定された動作を実行させる。
【００５４】
プログラムは、非一時的なコンピュータ可読記録媒体に格納されていてもよい。プログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。プログラムは、コンピュータ読み取り可能な媒体又はネットワークに接続された記憶装置から、車両２０の少なくとも一部を構成するコンピュータにインストールされてよい。プログラムが実行されることにより、コンピュータが、車両２０の各部の少なくとも一部として機能してもよい。
【００５５】
コンピュータを車両２０の各部の少なくとも一部として機能させるプログラムは、車両２０の各部の動作を規定したモジュールを備えてよい。これらのプログラム又はモジュールは、データ処理装置、入力装置、出力装置、記憶装置等に働きかけて、コンピュータを車両２０の各部として機能させたり、コンピュータに車両２０の各部における情報処理方法を実行させたりする。
【００５６】
プログラムに記述された情報処理は、当該プログラムがコンピュータに読込まれることにより、当該プログラムに関連するソフトウエアと、車両２０の各種のハードウエア資源とが協働した具体的手段として機能する。そして、上記の具体的手段が、本実施形態におけるコンピュータの使用目的に応じた情報の演算又は加工を実現することにより、当該使用目的に応じた車両２０が構築される。
【００５７】
図３は、燃料電池システム２４２の内部構成の一例を概略的に示す。本実施形態において、燃料電池システム２４２は、燃料電池ユニット４２と、燃料供給ユニット３１２と、酸化剤供給ユニット３１４と、温度調整媒体供給ユニット３１６とを備える。本実施形態において、燃料電池ユニット４２は、通信コネクタ３２２と、電力コネクタ３２４と、発電用ユーティリティコネクタ３２６とを備える。本実施形態において、燃料電池ユニット４２は、ＦＣ制御部３３０と、発電部３４０と、１以上のセンサ３４２と、１以上の配管３４４と、補機用バッテリ３５０とを備える。本実施形態において、ＦＣ制御部３３０は、メモリ３３２を有してよい。
【００５８】
本実施形態において、燃料電池ユニット４２は、燃料供給ユニット３１２から供給された燃料と、酸化剤供給ユニット３１４から供給された燃料とを利用して、電力を発生させる。燃料電池ユニット４２の温度は、温度調整媒体供給ユニット３１６から供給される温度調整媒体によって調整される。燃料電池ユニット４２が発生させた電力は、例えば、電力変換部２４６を介して、車両２０の各部に供給される。本実施形態において、燃料電池ユニット４２は、燃料供給ユニット３１２、酸化剤供給ユニット３１４及び温度調整媒体供給ユニット３１６の少なくとも１つの動作を制御してもよい。燃料電池ユニット４２は、電力制御部２４８からの命令に従って動作してもよい。
【００５９】
本実施形態において、燃料電池ユニット４２は、少なくとも、ＦＣ制御部３３０と、発電部３４０と、配管３４４と、各種の配線とが、パッケージ化されたユニットであってよい。燃料電池ユニット４２は、少なくとも、ＦＣ制御部３３０と、発電部３４０と、補機用バッテリ３５０と、配管及び配線とが、パッケージ化されたユニットであってよい。燃料電池ユニット４２の構成部品は、単一の筐体に収容されていてもよく、複数の筐体に分割して収容されていてもよい。
【００６０】
本実施形態において、燃料電池ユニット４２は、例えば、燃料電池システム２４２に配されたユーティリティ配管及び電力ケーブルと接続されることで、燃料電池システム２４２に取り付けられる。燃料電池ユニット４２は、燃料電池システム２４２に配されたユーティリティ配管、電力ケーブル及び通信ケーブルと接続されることで、燃料電池システム２４２に取り付けられてもよい。これにより、燃料電池ユニット４２が、車両２０に搭載される。
【００６１】
一実施形態において、燃料電池ユニット４２は、車両２０の一般利用者が容易に取り外すことができないように、燃料電池システム２４２に取り付けられる。燃料電池ユニット４２は、例えば、燃料電池システム２４２の所定の位置に固定される。
【００６２】
他の実施形態において、燃料電池ユニット４２は、燃料電池システム２４２に着脱自在に取り付けられる。これにより、車両２０の一般利用者であっても、燃料電池ユニット４２を燃料電池システム２４２から取り外すことができる。車両２０の一般利用者は、例えば、車両２０から取り外された燃料電池ユニット４２を他の作業機械に取り付けて、燃料電池ユニット４２が発生させた電力で、当該他の作業機械を作動させることができる。
【００６３】
なお、燃料電池ユニット４２が、車両２０の一般利用者が容易に取り外すことができないように、燃料電池システム２４２に取り付けられている場合であっても、車両２０又は電源システム４０の製造者、販売者などであれば、ユニットとしての一体性を大きく損なうことなく、燃料電池ユニット４２を燃料電池システム２４２から取り外すことができる場合がある。例えば、車両２０又は電源システム４０の製造者、販売者などであれば、燃料電池ユニット４２を分解することなく、燃料電池ユニット４２を燃料電池システム２４２から取り外すことができる場合がある。このような実施形態も、燃料電池ユニット４２が、燃料電池システム２４２に着脱自在に取り付けられた実施形態の一例であってよい。
【００６４】
燃料電池ユニット４２が燃料電池システム２４２から取り外された状態で大気中に放置されると、燃料電池ユニット４２の劣化の進行が促進される可能性がある。特に、燃料電池ユニット４２が発電に使用された後、燃料電池システム２４２から取り外されると、酸化剤としての空気が燃料電池ユニット４２の内部に残存する。燃料電池ユニット４２の内部に残存した空気は、燃料電池ユニット４２の燃料電池スタックを劣化させ得る。
【００６５】
そこで、本実施形態によれば、燃料電池システム２４２から取り外された燃料電池ユニット４２は、保管装置１２０に保管される。保管装置１２０は、燃料電池ユニット４２の劣化の進行を抑制する態様で、燃料電池ユニット４２を保管する。例えば、保管装置１２０は、燃料電池ユニット４２内の残存空気をパージガスで置換する。保管装置１２０は、適切なタイミングで、燃料電池ユニット４２を稼働させてもよい。例えば、保管装置１２０は、適切なタイミングで、燃料電池ユニット４２をアイドル発電モード又は劣化抑制モードで稼働させる。これにより、例えば、燃料電池スタック内の湿度が適切に保たれる。その結果、燃料電池ユニット４２の劣化の進行が抑制され得る。
【００６６】
本実施形態において、燃料供給ユニット３１２は、燃料電池ユニット４２に、発電用の燃料を供給する。発電用の燃料は、水素であってもよく、水素を含む化合物であってもよい。燃料供給ユニット３１２は、燃料の流量を測定するセンサ（図示されていない。）と、燃料の流量を調整する流量調整部（図示されていない。）とを備えてよい。燃料供給ユニット３１２は、燃料電池ユニット４２からの命令に従って動作してよい。
【００６７】
燃料供給ユニット３１２は、電力を利用して、配管３４４を介して、発電部３４０に燃料を供給してよい。燃料供給ユニット３１２は、電源システム４０の内部に配されてよい。一実施形態において、燃料電池システム２４２が電源システム４０に取り付けられている場合、燃料供給ユニット３１２は、蓄電部２４４、発電部３４０、及び、補機用バッテリ３５０の少なくとも１つから供給される電力を利用して、発電部３４０に燃料を供給する。他の実施形態において、燃料電池システム２４２が保管装置１２０に保管されている場合、燃料供給ユニット３１２は、保管装置１２０から供給される電力を利用して、発電部３４０に燃料を供給してよい。他の実施形態において、燃料電池システム２４２が保管装置１２０に保管されている場合、燃料供給ユニット３１２は、保管装置１２０から供給される電力と、発電部３４０、及び、補機用バッテリ３５０の少なくとも一方から供給される電力とを利用して、発電部３４０に燃料を供給してよい。
【００６８】
本実施形態において、酸化剤供給ユニット３１４は、燃料電池ユニット４２に、発電用の酸化剤を供給する。発電用の酸化剤は、酸素であってもよく、空気であってもよい。酸化剤供給ユニット３１４は、酸化剤の流量を測定するセンサ（図示されていない。）と、酸化剤の流量を調整する流量調整部（図示されていない。）とを備えてよい。酸化剤供給ユニット３１４は、燃料電池ユニット４２からの命令に従って動作してよい。
【００６９】
酸化剤供給ユニット３１４は、電力を利用して、配管３４４を介して、発電部３４０に酸化剤を供給してよい。酸化剤供給ユニット３１４は、電源システム４０の内部に配されてよい。一実施形態において、燃料電池システム２４２が電源システム４０に取り付けられている場合、酸化剤供給ユニット３１４は、蓄電部２４４、発電部３４０、及び、補機用バッテリ３５０の少なくとも１つから供給される電力を利用して、発電部３４０に酸化剤を供給する。他の実施形態において、燃料電池システム２４２が保管装置１２０に保管されている場合、酸化剤供給ユニット３１４は、保管装置１２０から供給される電力を利用して、発電部３４０に酸化剤を供給してよい。他の実施形態において、燃料電池システム２４２が保管装置１２０に保管されている場合、酸化剤供給ユニット３１４は、保管装置１２０から供給される電力と、発電部３４０、及び、補機用バッテリ３５０の少なくとも一方から供給される電力とを利用して、発電部３４０に酸化剤を供給してよい。
【００７０】
酸化剤供給ユニット３１４は、燃料電池システム２４２の外部から、酸化剤となる空気を吸引するためのポンプ又はブロワ（図示されていない。）を有してよい。酸化剤供給ユニット３１４は、車両２０に配された給気配管（図示されていない。）と接続されていてもよい。
【００７１】
本実施形態において、温度調整媒体供給ユニット３１６は、燃料電池ユニット４２に、燃料電池ユニット４２の発電スタックの温度を調整するための温度調整媒体を供給する。温度調整媒体としては、水、エチレングリコール、ロング・ライフ・クーラント（ＬＬＣと称される場合がある。）などが例示される。温度調整媒体供給ユニット３１６は、温度調整媒体の流量を測定するセンサ（図示されていない。）と、温度調整媒体の流量を調整する流量調整部（図示されていない。）とを備えてよい。温度調整媒体供給ユニット３１６は、燃料電池ユニット４２からの命令に従って動作してよい。温度調整媒体供給ユニット３１６は、温度調整媒体の温度を調整するための熱交換器（図示されていない。）を備えてもよい。熱交換器としては、ラジエータが例示される。
【００７２】
温度調整媒体供給ユニット３１６は、電力を利用して、配管３４４を介して、発電部３４０に温度調整媒体を供給してよい。温度調整媒体供給ユニット３１６は、電源システム４０の内部に配されてよい。一実施形態において、燃料電池システム２４２が電源システム４０に取り付けられている場合、温度調整媒体供給ユニット３１６は、蓄電部２４４、発電部３４０、及び、補機用バッテリ３５０の少なくとも１つから供給される電力を利用して、発電部３４０に温度調整媒体を供給する。他の実施形態において、燃料電池システム２４２が保管装置１２０に保管されている場合、温度調整媒体供給ユニット３１６は、保管装置１２０から供給される電力を利用して、発電部３４０に温度調整媒体を供給してよい。他の実施形態において、燃料電池システム２４２が保管装置１２０に保管されている場合、温度調整媒体供給ユニット３１６は、保管装置１２０から供給される電力と、発電部３４０、及び、補機用バッテリ３５０の少なくとも一方から供給される電力とを利用して、発電部３４０に温度調整媒体を供給してよい。
【００７３】
［燃料電池ユニット４２の各部の概要］
本実施形態において、通信コネクタ３２２は、燃料電池ユニット４２に配された通信ケーブル又は通信機器と、燃料電池システム２４２に配された通信ケーブル又は通信機器とを接続する。燃料電池ユニット４２に配された通信ケーブル又は通信機器と、燃料電池システム２４２に配された通信ケーブル又は通信機器とは、有線接続されてもよく、無線接続されてもよい。
【００７４】
通信コネクタ３２２は、無線通信機器を有してよい。燃料電池ユニット４２は、無線通信機器を介して、燃料電池システム２４２に配された通信機器、電力制御部２４８又は車両制御部２２４との間で情報を送受してもよい。燃料電池ユニット４２は、無線通信機器を介して、保管装置１２０との間で情報を送受してもよい。
【００７５】
本実施形態において、電力コネクタ３２４は、燃料電池ユニット４２に配された電力ケーブルと、燃料電池システム２４２に配された電力ケーブルとを電気的に接続する。燃料電池ユニット４２に配された電力ケーブル、及び、燃料電池システム２４２に配された電力ケーブルは、有線接続されてもよく、無線接続されてもよい。
【００７６】
電力コネクタ３２４は、無線給電機器を有してよい。燃料電池ユニット４２は、無線給電機器を介して、電力変換部２４６又は車両駆動部２２２と電気的に接続されてもよい。これにより、燃料電池システム２４２と、燃料電池ユニット４２との間で、電力の授受が可能になる。その結果、電力変換部２４６と、燃料電池ユニット４２との間で、電力の授受が可能となり、車両駆動部２２２又は蓄電部２４４と、燃料電池ユニット４２との間で、電力の授受が可能になる。燃料電池ユニット４２は、無線給電機器を介して、保管装置１２０と電気的に接続されてもよい。
【００７７】
本実施形態において、発電用ユーティリティコネクタ３２６は、燃料電池ユニット４２に配されたユーティリティ配管と、燃料電池システム２４２に配されたユーティリティ配管とを接続する。これにより、燃料電池システム２４２と、燃料電池ユニット４２との間で、燃料電池ユニット４２の運転に利用されるユーティリティの授受が可能になる。その結果、車両２０又は燃料電池システム２４２と、燃料電池ユニット４２との間で、ユーティリティの授受が可能になる。
【００７８】
例えば、燃料供給ユニット３１２と、燃料電池ユニット４２との間で燃料の授受が可能になる。酸化剤供給ユニット３１４と、燃料電池ユニット４２との間で酸化剤の授受が可能になる。温度調整媒体供給ユニット３１６と、燃料電池ユニット４２との間で、温度調整媒体又は熱の授受が可能になる。また、燃料電池ユニット４２と、車両２０又は燃料電池システム２４２との間で、燃料電池ユニット４２における発電に伴い発生した排水及び排ガスの送受が可能になる。
【００７９】
本実施形態において、ＦＣ制御部３３０は、燃料電池ユニット４２を制御する。例えば、ＦＣ制御部３３０は、燃料電池ユニット４２の発電を制御する。ＦＣ制御部３３０は、燃料電池ユニット４２の出力電圧、出力電流、出力電力、及び、出力レートの少なくとも１つを制御してよい。ＦＣ制御部３３０は、発電部３４０の出力電圧、出力電流、出力電力、及び、出力レートの少なくとも１つを制御してよい。ＦＣ制御部３３０は、補機用バッテリ３５０の出力電圧、出力電流、出力電力、及び、出力レートの少なくとも１つを制御してよい。ＦＣ制御部３３０は、燃料供給ユニット３１２、酸化剤供給ユニット３１４及び温度調整媒体供給ユニット３１６の少なくとも１つの動作を制御することで、燃料電池ユニット４２の発電を制御してよい。ＦＣ制御部３３０は、電力制御部２４８からの命令に従って動作してよい。
【００８０】
一実施形態において、ＦＣ制御部３３０は、燃料電池ユニット４２の各部の稼働状態を示す情報を、例えば電力制御部２４８を介して管理サーバ１４０に送信する。稼働状態としては、出力電力、出力電圧、出力電流、出力レートなどが例示される。ＦＣ制御部３３０は、燃料電池ユニット４２の各部の稼働状態を示す情報を、時刻を示す情報と対応付けて、管理サーバ１４０に送信してもよい。
【００８１】
ＦＣ制御部３３０は、燃料電池ユニット４２が車両２０又は電源システム４０に搭載されている期間において、燃料電池ユニット４２の各部の稼働状態を示す情報を、管理サーバ１４０に送信してよい。ＦＣ制御部３３０は、燃料電池ユニット４２が保管装置１２０保管されている期間において、燃料電池ユニット４２の各部の稼働状態を示す情報を、管理サーバ１４０に送信してよい。
【００８２】
他の実施形態において、ＦＣ制御部３３０は、燃料電池ユニット４２の各部の稼働状態を示す情報を、メモリ３３２に格納する。稼働状態としては、出力電力、出力電圧、出力電流、出力レートなどが例示される。ＦＣ制御部３３０は、燃料電池ユニット４２の各部の稼働状態を示す情報を、時刻を示す情報と対応付けて、メモリ３３２に格納してよい。
【００８３】
ＦＣ制御部３３０は、燃料電池ユニット４２が車両２０又は電源システム４０に搭載されている期間において、燃料電池ユニット４２の各部の稼働状態を示す情報を、メモリ３３２に格納してよい。ＦＣ制御部３３０は、燃料電池ユニット４２が保管装置１２０保管されている期間において、燃料電池ユニット４２の各部の稼働状態を示す情報を、メモリ３３２に格納してよい。これにより、例えば、燃料電池ユニット４２が、管理サーバ１４０と通信することができない期間中に稼働した場合であっても、管理サーバ１４０は、燃料電池ユニット４２の各部の稼働状態を示す情報を、事後的に取得することができる。
【００８４】
例えば、燃料電池ユニット４２が保管装置１２０保管されている期間中、燃料電池ユニット４２が管理サーバ１４０と通信することができなかった場合であっても、燃料電池ユニット４２が保管装置１２０から取り出されて車両２０に搭載された後、車両制御部２２４が、燃料電池ユニット４２のメモリ３３２に格納された情報を読み取り、当該情報を管理サーバ１４０に送信する。これにより、管理サーバ１４０は、燃料電池ユニット４２の各部の稼働状態を示す情報を、事後的に取得することができる。
【００８５】
本実施形態において、ＦＣ制御部３３０は、１以上のセンサ３４２のそれぞれから、各センサの検出結果を示す情報を取得する。一実施形態において、ＦＣ制御部３３０は、各センサの検出結果を示す情報を、例えば電力制御部２４８を介して管理サーバ１４０に送信する。ＦＣ制御部３３０は、各センサの検出結果を示す情報を、時刻を示す情報と対応付けて、管理サーバ１４０に送信してもよい。ＦＣ制御部３３０は、燃料電池ユニット４２が車両２０又は電源システム４０に搭載されている期間において、各センサの検出結果を示す情報を、管理サーバ１４０に送信してよい。ＦＣ制御部３３０は、燃料電池ユニット４２が保管装置１２０保管されている期間において、各センサの検出結果を示す情報を、管理サーバ１４０に送信してよい。
【００８６】
他の実施形態において、ＦＣ制御部３３０は、各センサの検出結果を示す情報を、メモリ３３２に格納する。ＦＣ制御部３３０は、各センサの検出結果を示す情報を、時刻を示す情報と対応付けて、メモリ３３２に格納してもよい。ＦＣ制御部３３０は、燃料電池ユニット４２が車両２０又は電源システム４０に搭載されている期間において、各センサの検出結果を示す情報を、メモリ３３２に格納してよい。ＦＣ制御部３３０は、燃料電池ユニット４２が保管装置１２０保管されている期間において、各センサの検出結果を示す情報を、メモリ３３２に格納してよい。
【００８７】
これにより、例えば、燃料電池ユニット４２が、管理サーバ１４０と通信することができない期間中に、燃料電池ユニット４２の周辺環境の状態が変動した場合であっても、管理サーバ１４０は、当該周縁環境の状態の変動を示す情報を、事後的に取得することができる。周辺環境の状態としては、温度、湿度、酸素濃度、水素濃度、微粒子濃度などが例示される。
【００８８】
例えば、燃料電池ユニット４２が保管装置１２０保管されている期間中、燃料電池ユニット４２が管理サーバ１４０と通信することができなかった場合であっても、燃料電池ユニット４２が保管装置１２０から取り出されて車両２０に搭載された後、車両制御部２２４が、燃料電池ユニット４２のメモリ３３２に格納された情報を読み取り、当該情報を管理サーバ１４０に送信する。これにより、管理サーバ１４０は、燃料電池ユニット４２の周辺環境の状態の変動を示す情報を、事後的に取得することができる。
【００８９】
本実施形態において、メモリ３３２は、燃料電池ユニット４２に関する各種の情報を格納する。例えば、メモリ３３２は、燃料電池ユニット４２の識別情報を格納する、メモリ３３２は、ＦＣ制御部３３０から取得した情報を格納してよい。メモリ３３２は、保管装置１２０から取得した情報を格納してもよい。
【００９０】
例えば、メモリ３３２は、燃料電池ユニット４２が搭載された車両２０、電源システム４０及び燃料電池システム２４２の少なくとも１つの識別情報をＦＣ制御部３３０から取得し、当該情報を格納する。メモリ３３２は、燃料電池ユニット４２が搭載された車両２０、電源システム４０及び燃料電池システム２４２の少なくとも１つの識別情報と、燃料電池ユニット４２が車両２０、電源システム４０及び燃料電池システム２４２の少なくとも１つに搭載された時刻を示す情報とを対応付けて格納してもよい。
【００９１】
例えば、メモリ３３２は、燃料電池ユニット４２が保管された保管装置１２０の識別情報を、ＦＣ制御部３３０又は保管装置１２０から取得し、当該情報を格納する。メモリ３３２は、燃料電池ユニット４２が保管された保管装置１２０の識別情報と、燃料電池ユニット４２が保管装置１２０に保管された時刻を示す情報とを対応付けて格納してもよい。
【００９２】
メモリ３３２は、ＦＣ制御部３３０及び保管装置１２０の少なくとも一方から、燃料電池ユニット４２の稼働履歴を示す情報を取得し、当該情報を格納してよい。メモリ３３２は、発電部３４０及び補機用バッテリ３５０の少なくとも一方の稼働履歴を示す情報を格納してもよい。稼働履歴は、時刻を示す情報と、当該時刻における稼働状態を示す情報とが対応づけられたレコードの集合であってよい。稼働状態としては、出力電力、出力電圧、出力電流、出力レートなどが例示される。
【００９３】
メモリ３３２は、ＦＣ制御部３３０及び保管装置１２０の少なくとも一方から、燃料電池ユニット４２の周辺環境の状態の変動履歴を示す情報を取得し、当該情報を格納してよい。メモリ３３２は、発電部３４０及び補機用バッテリ３５０の少なくとも一方の周辺環境の状態の変動履歴を示す情報を格納してもよい。変動履歴は、時刻を示す情報と、当該時刻における周辺環境の状態を示す情報とが対応づけられたレコードの集合であってよい。周辺環境の状態としては、温度、湿度、酸素濃度、水素濃度、微粒子濃度などが例示される。
【００９４】
本実施形態において、発電部３４０は、電気を発生させる。発電部３４０は、燃料電池を備えてよい。燃料電池は、燃料供給ユニット３１２から供給された燃料と、酸化剤供給ユニット３１４から供給された酸化剤とを反応させて、電気を発生させる。発電部３４０は、電力コネクタ３２４と電気的に接続されていてよい。発電部３４０は、補機用バッテリ３５０と電気的に接続されていてよい。発電部３４０は、発生した電気の一部を補機用バッテリ３５０に供給してよい。
【００９５】
上述のとおり、発電部３４０を起動するためには、酸化剤及び燃料を発電部に供給する燃料供給ユニット３１２及び酸化剤供給ユニット３１４を起動するための電力が必要となる。特に、酸化剤供給ユニット３１４は、酸化剤としての空気を発電部３４０に圧送するためのファンを備えることが多い。しかしながら、上記のファンの消費電力量は比較的大きい。そのため、発電部３４０の起動に備えて、酸化剤供給ユニット３１４を作動させるための電力が確保されていることが望ましい。
【００９６】
本実施形態において、１以上のセンサ３４２の少なくとも一部は、発電部３４０及び補機用バッテリ３５０の少なくとも一方の稼働状態を検出する。１以上のセンサ３４２の少なくとも一部は、発電部３４０及び補機用バッテリ３５０の少なくとも一方の周辺環境の状態を検出する。１以上のセンサ３４２のそれぞれは、検出結果を示す情報を、ＦＣ制御部３３０に出力してよい。
【００９７】
本実施形態において、１以上の配管３４４は、発電用ユーティリティコネクタ３２６と、発電部３４０との間で各種の流体を流通させる。１以上の配管３４４の詳細は後述される。
【００９８】
本実施形態において、補機用バッテリ３５０は、燃料供給ユニット３１２、酸化剤供給ユニット３１４及び温度調整媒体供給ユニット３１６の少なくとも１つを起動するための電力を蓄積する。補機用バッテリ３５０は、酸化剤供給ユニット３１４を起動するための電力を蓄積してもよい。補機用バッテリ３５０は、電力コネクタ３２４と電気的に接続されていてよい。補機用バッテリ３５０は、電力変換部２４６から供給された電力を蓄積してよい。補機用バッテリ３５０は、発電部３４０と電気的に接続されていてよい。補機用バッテリ３５０は、発電部３４０から供給された電力を蓄積してよい。
【００９９】
なお、燃料供給ユニット３１２、酸化剤供給ユニット３１４及び温度調整媒体供給ユニット３１６の少なくとも１つは、燃料電池ユニット４２の起動時に、蓄電部２４４から供給された電力を利用して作動するように構成されていてもよい。燃料供給ユニット３１２、酸化剤供給ユニット３１４及び温度調整媒体供給ユニット３１６の少なくとも１つは、燃料電池ユニット４２の起動時に、蓄電部２４４から供給された電力と、燃料電池ユニット４２が発電した電力とを利用して作動するように構成されていてもよい。
【０１００】
燃料供給ユニット３１２、酸化剤供給ユニット３１４及び温度調整媒体供給ユニット３１６の少なくとも１つは、燃料電池ユニット４２の起動時に、補機用バッテリ３５０残容量が予め定められた数値範囲の範囲外である場合、蓄電部２４４から供給された電力を利用して作動するように構成されていてもよい。
【０１０１】
「数値範囲」は、上限及び下限の両方が定められている場合に限定されない。「数値範囲」は、上限だけが定められていてもよく、下限だけが定められていてもよい。
【０１０２】
酸化剤供給ユニット３１４は、発電部３４０の発電量が予め定められた条件を満足するようになった後、発電部３４０が発生させた電力を利用して作動してよい。例えば、発電部３４０の発電量が予め定められた閾値よりも小さい場合、酸化剤供給ユニット３１４は、補機用バッテリ３５０又は蓄電部２４４から供給された電力を利用して、発電部３４０に酸化剤を供給する。発電部３４０の発電量が上記の閾値よりも大きい場合、酸化剤供給ユニット３１４は、発電部３４０が発生させた電力を利用して、発電部３４０に酸化剤を供給する。
【０１０３】
酸化剤供給ユニット３１４が、補機用バッテリ３５０又は蓄電部２４４から供給された電力を利用している場合の酸化剤の供給量は、酸化剤供給ユニット３１４が、発電部３４０が発生させた電力を利用している場合の酸化剤の供給量よりも小さくてよい。酸化剤供給ユニット３１４が、発電部３４０が発生させた電力を利用している場合、酸化剤の供給量は、発電部３４０が発生させる電力の大きさに応じて変動してよい。酸化剤の供給量は、発電部３４０が発生させる電力の大きさに応じて連続的に変動してもよく、段階的に変動してもよい。
【０１０４】
なお、本実施形態においては、燃料電池ユニット４２が、燃料供給ユニット３１２、酸化剤供給ユニット３１４及び温度調整媒体供給ユニット３１６を含まない場合を例として、燃料電池ユニット４２の詳細が説明された。しかしながら、燃料電池ユニット４２は本実施形態に限定されない。本実施形態において、燃料電池ユニット４２は、燃料供給ユニット３１２、酸化剤供給ユニット３１４及び温度調整媒体供給ユニット３１６の少なくとも１つを含んでよい。
【０１０５】
本実施形態においては、燃料電池ユニット４２がパッケージ化されたユニットである場合を例として、電源システム４０の詳細が説明された。しかしながら、電源システム４０は、本実施形態に限定されない。他の実施形態において、燃料電池システム２４２がパッケージ化されたユニットであってもよい。さらに他の実施形態において、電源システム４０がパッケージ化されたユニットであってもよい。
【０１０６】
この場合において、一実施形態によれば、保管装置１２０に備えられた複数の保管容器１２２のうち、一の保管容器１２２に収容される燃料電池ユニット４２のユニット構成と、他の保管容器１２２に収容される燃料電池ユニット４２のユニット構成とが異なる。また、他の実施形態によれば、単一の保管装置１２０に、ユニット構成の異なる複数の燃料電池ユニット４２が収容される。
【０１０７】
例えば、一方の燃料電池ユニット４２は、燃料供給ユニット３１２、酸化剤供給ユニット３１４及び温度調整媒体供給ユニット３１６の少なくとも１つを含み、他方の燃料電池ユニット４２は、燃料供給ユニット３１２、酸化剤供給ユニット３１４及び温度調整媒体供給ユニット３１６を含まない。例えば、一方の燃料電池ユニット４２は、酸化剤供給ユニット３１４を含み、他方の燃料電池ユニット４２は、酸化剤供給ユニット３１４を含まない。
【０１０８】
本実施形態においては、燃料電池ユニット４２が、燃料電池システム２４２に対して着脱自在に構成される場合を例として、電源システム４０の詳細が説明された。しかしながら、電源システム４０は、本実施形態に限定されない。他の実施形態において、燃料電池システム２４２が、電源システム４０に対して着脱自在に構成されてよい。さらに他の実施形態において、電源システム４０が、車両２０に対して着脱自在に構成されてよい。
【０１０９】
酸化剤供給ユニット３１４は、第１酸化剤供給部の一例であってよい。発電部３４０は、燃料電池の一例であってよい。配管３４４は、酸化剤供給路の一例であってよい。発電用ユーティリティコネクタ３２６は、酸化剤用接続部の一例であってよい。複数の保管容器１２２は、第１保管部及び第２保管部の一例であってよい。
【０１１０】
図４は、発電用ユーティリティコネクタ３２６の内部構成の一例を概略的に示す。本実施形態において、発電用ユーティリティコネクタ３２６は、本体４２０と、プラグ４３６と、プラグ４４６と、プラグ４５６と、プラグ４６６と、プラグ４７６と、プラグ４８６とを備える。
【０１１１】
本実施形態において、本体４２０は、適度な剛性を有するものであればよく、その詳細は特に限定されない。なお、本実施形態においては、単一の本体４２０に、プラグ４３６、プラグ４４６、プラグ４５６、プラグ４６６、プラグ４７６及びプラグ４８６が配される場合を例として、本体４２０の詳細が説明される。しかしながら、本体４２０は本実施形態に限定されない。他の実施形態において、発電用ユーティリティコネクタ３２６が、複数の本体４２０を有し、プラグ４３６、プラグ４４６、プラグ４５６、プラグ４６６、プラグ４７６及びプラグ４８６が、複数の本体４２０に分散して配されてもよい。
【０１１２】
本実施形態において、プラグ４３６は、本体４２０の一方の面に形成された凹部４３８の内部に配される。これにより、プラグ４３６の破損が抑制される。
【０１１３】
本実施形態において、プラグ４３６は、燃料電池ユニット４２の内部に配された配管４３４と、燃料電池ユニット４２の外部に配された燃料用の配管とを接続する。本実施形態において、配管４３４は、燃料電池ユニット４２の内部に配され、発電部３４０に燃料を供給する。これにより、例えば、燃料電池ユニット４２が電源システム４０に取り付けられた状態において、酸化剤供給ユニット３１４は、発電部３４０に燃料を供給することができる。
【０１１４】
本実施形態において、プラグ４４６は、本体４２０の一方の面に形成された凹部４４８の内部に配される。これにより、プラグ４４６の破損が抑制される。
【０１１５】
本実施形態において、プラグ４４６は、燃料電池ユニット４２の内部に配された配管４４４と、燃料電池ユニット４２の外部に配された酸化剤の配管とを接続する。本実施形態において、配管４４４は、燃料電池ユニット４２の内部に配され、発電部３４０に酸化剤を供給する。これにより、例えば、燃料電池ユニット４２が電源システム４０に取り付けられた状態において、燃料供給ユニット３１２は、発電部３４０に酸化剤を供給することができる。
【０１１６】
本実施形態において、プラグ４５６は、本体４２０の一方の面に形成された凹部４５８の内部に配される。これにより、プラグ４５６の破損が抑制される。
【０１１７】
本実施形態において、プラグ４５６は、燃料電池ユニット４２の内部に配された配管４５４と、燃料電池ユニット４２の外部に配された温度調整媒体の供給用の配管とを接続する。本実施形態において、配管４５４は、燃料電池ユニット４２の内部に配され、発電部３４０に温度調整媒体を供給する。これにより、例えば、燃料電池ユニット４２が電源システム４０に取り付けられた状態において、温度調整媒体供給ユニット３１６は、発電部３４０に温度調整媒体を供給することができる。
【０１１８】
本実施形態において、プラグ４６６は、本体４２０の一方の面に形成された凹部４６８の内部に配される。これにより、プラグ４６６の破損が抑制される。
【０１１９】
本実施形態において、プラグ４６６は、燃料電池ユニット４２の内部に配された配管４６４と、燃料電池ユニット４２の外部に配された温度調整媒体の回収用の配管とを接続する。本実施形態において、配管４６４は、燃料電池ユニット４２の内部に配され、熱交換後の温度調整媒体を排出する。これにより、例えば、燃料電池ユニット４２が電源システム４０に取り付けられた状態において、温度調整媒体供給ユニット３１６は、発電部３４０から温度調整媒体を回収することができる。
【０１２０】
本実施形態において、プラグ４７６は、本体４２０の一方の面に形成された凹部４７８の内部に配される。これにより、プラグ４７６の破損が抑制される。
【０１２１】
本実施形態において、プラグ４７６は、燃料電池ユニット４２の内部に配された配管４７４と、燃料電池ユニット４２の外部に配された排ガス用の配管とを接続する。本実施形態において、配管４６４は、燃料電池ユニット４２の内部に配され、発電部３４０からの排ガスを排出する。これにより、例えば、燃料電池ユニット４２が電源システム４０に取り付けられた状態において、発電部３４０は、排ガスを燃料電池ユニット４２の外部に排出することができる。
【０１２２】
本実施形態において、プラグ４８６は、本体４２０の一方の面に形成された凹部４８８の内部に配される。これにより、プラグ４８６の破損が抑制される。
【０１２３】
本実施形態において、プラグ４８６は、燃料電池ユニット４２の内部に配された配管４８４と、燃料電池ユニット４２の外部に配された排水用の配管とを接続する。本実施形態において、配管４６４は、燃料電池ユニット４２の内部に配され、発電部３４０からの排水を排出する。これにより、例えば、燃料電池ユニット４２が電源システム４０に取り付けられた状態において、発電部３４０は、排水を燃料電池ユニット４２の外部に排出することができる。
【０１２４】
配管４４４は、酸化剤供給路の一例であってよい。プラグ４４６は、酸化剤用接続部の一例であってよい。
【０１２５】
なお、本実施形態においては、発電用ユーティリティコネクタ３２６が、プラグ４３６、プラグ４４６、プラグ４５６、プラグ４６６、プラグ４７６、及び、プラグ４８６を備える場合を例として、発電用ユーティリティコネクタ３２６の詳細が説明された。しかしながら、発電用ユーティリティコネクタ３２６は、本実施形態に限定されない。他の実施形態において、プラグ４３６、プラグ４４６、プラグ４５６、プラグ４６６、プラグ４７６、及び、プラグ４８６の少なくとも１つは、ソケットであってもよく、他の種類の配管継手であってもよい。
【０１２６】
図５は、保管装置１２０の内部構成の一例を概略的に示す。本実施形態において、保管装置１２０は、１以上の保管容器１２２と、保管環境調整部１２４とを備える。本実施形態において、保管環境調整部１２４は、１以上の支持部５１０と、通信部５２２と、水素ボンベ５３２と、コンプレッサ５３４と、窒素ボンベ５４２と、温度調整部５４４と、湿度調整部５４６と、貯水槽５５２と、凝縮器５５４と、制御部５６０と、電源５７０とを有する。本実施形態において、電源５７０は、蓄電部５７４と、電力変換部５７６とを含んでよい。
【０１２７】
本実施形態において、１以上の支持部５１０のそれぞれは、１以上の保管容器１２２のそれぞれを支持する。支持部５１０による保管容器１２２の支持態様は特に限定されない。保管容器１２２及び支持部５１０の接触部分は、適切な封止剤又は封止材料により封止されてよい。これにより、保管容器１２２及び支持部５１０は、電源システム４０から取り外された燃料電池ユニット４２を密封して収容することができる。
【０１２８】
なお、本実施形態においては、単一の支持部５１０が、単一の保管容器１２２を支持する場合を例として、支持部５１０の詳細が説明される。しかしながら、支持部５１０は本実施形態に限定されない。他の実施形態において、単一の支持部５１０が、複数の保管容器１２２を支持してもよい。支持部５１０の詳細は後述される。
【０１２９】
本実施形態において、通信部５２２は、外部の情報処理装置との間で情報を送受する。例えば、通信部５２２は、車両２０及び管理サーバ１４０の少なくとも一方との間で情報を送受する。通信部５２２は、制御部５６０から受け取った情報を、車両２０及び管理サーバ１４０の少なくとも一方に送信してよい。通信部５２２は、車両２０及び管理サーバ１４０の少なくとも一方から受信した情報を、制御部５６０に出力してよい。通信部５２２は、１又は複数の通信方式に対応してよい。
【０１３０】
通信部５２２は、保管容器１２２の内部に収容されている燃料電池ユニット４２との間で情報を送受してよい。通信部５２２は、燃料電池ユニット４２の通信コネクタ３２２と有線接続されてもよく、無線接続されてもよい。
【０１３１】
本実施形態において、水素ボンベ５３２は、水素を貯蔵する。水素ボンベ５３２は、支持部５１０を介して、電源システム４０から取り外されて保管容器１２２に保管されている燃料電池ユニット４２の発電部３４０に、燃料としての水素を供給する。
【０１３２】
本実施形態において、コンプレッサ５３４は、任意の圧力の圧縮空気を発生させる。コンプレッサ５３４は、支持部５１０を介して、電源システム４０から取り外されて保管容器１２２に保管されている燃料電池ユニット４２の発電部３４０に、酸化剤としての空気を供給する。
【０１３３】
本実施形態において、窒素ボンベ５４２は、窒素ガスを貯蔵する。窒素ガスは、発電部３４０の内部に残存する空気又は水素と置換されるパージガスとして利用される。窒素ガスは、配管４３４の内部に残存する水素と置換されるパージガスとして利用される。窒素ガスは、配管４４４の内部に残存する空気と置換されるパージガスとして利用される。窒素ボンベ５４２は、例えば、支持部５１０を介して、電源システム４０から取り外されて保管容器１２２に保管されている燃料電池ユニット４２の発電部３４０に、パージガスとしての窒素を供給する。
【０１３４】
窒素ガスは、保管容器１２２の内部の環境の調整に利用されてもよい。具体的には、窒素ガスは、保管容器１２２の内部に残存する空気又は水素と置換されるパージガスとして利用される。窒素ボンベ５４２は、例えば、支持部５１０を介して、１以上の保管容器１２２の少なくとも１つの内部に、パージガスとしての窒素を供給する。窒素ボンベ５４２から排出された窒素は、保管容器１２２に供給される前に、温度及び湿度の少なくとも一方が調整されてよい。
【０１３５】
本実施形態において、温度調整部５４４は、１以上の保管容器１２２のそれぞれに供給される窒素の温度を調整する。温度調整部５４４は、１以上の保管容器１２２のそれぞれに供給される窒素の温度を、それぞれ独立に調整してよい。
【０１３６】
本実施形態において、温度調整部５４４は、例えば、支持部５１０を介して、電源システム４０から取り外されて保管容器１２２に保管されている燃料電池ユニット４２の発電部３４０に、発電部３４０の温度を調整するための温度調整媒体を供給してよい。また、温度調整部５４４は、熱交換器（図示されていない。）などを利用して、上記の温度調整媒体の温度を調整してよい。
【０１３７】
本実施形態において、湿度調整部５４６は、１以上の保管容器１２２のそれぞれに供給される窒素の湿度を調整する。温度調整部５４４は、１以上の保管容器１２２のそれぞれに供給される窒素の湿度を、それぞれ独立に調整してよい。
【０１３８】
湿度調整部５４６は、貯水槽５５２に貯留された水を利用して、窒素の湿度を調整してよい。一実施形態において、湿度調整部５４６は、貯水槽５５２から一定量の水を受け取る。湿度調整部５４６は、上記の水を加熱して、水蒸気を発生させる。湿度調整部５４６は、発生した水蒸気と、窒素ボンベ５４２から保管容器１２２に供給される窒素とを混合する。これにより、保管容器１２２に供給される窒素の湿度が調整され得る。他の実施形態において、湿度調整部５４６は、窒素ボンベ５４２から保管容器１２２に供給される窒素の少なくとも一部を、貯水槽５５２に貯留されている水の中を通過させる。これにより、保管容器１２２に供給される窒素の湿度が調整され得る。
【０１３９】
本実施形態において、貯水槽５５２は、発電部３４０から排出された水を貯留する。一実施形態において、貯水槽５５２は、発電部３４０から排出された排水を貯留する。他の実施形態において、貯水槽５５２は、発電部３４０から排出された排ガス中に含まれる水の一部を貯留する。具体的には、発電部３４０から排出された排ガスが凝縮器５５４を通過する間に、排ガス中に含まれる水蒸気及び飛沫状の水の一部が凝縮して、液体の水が発生する。貯水槽５５２は、凝縮器５５４において得られた水を貯留する。
【０１４０】
本実施形態において、制御部５６０は、保管環境調整部１２４の各部の動作を制御する。これにより、保管装置１２０が保管している燃料電池ユニット４２の内部環境及びが調整される。また、１以上の保管容器１２２のそれぞれの内部環境が調整される。
【０１４１】
具体的には、制御部５６０は、水素ボンベ５３２から、保管容器１２２が保管している１以上の燃料電池ユニット４２のそれぞれに水素を供給するタイミングを制御してよい。制御部５６０は、上記の水素の供給量を制御してよい。
【０１４２】
制御部５６０は、コンプレッサ５３４から、保管容器１２２が保管している１以上の燃料電池ユニット４２のそれぞれに空気を供給するタイミングを制御してよい。制御部５６０は、上記の空気の供給量を制御してよい。
【０１４３】
制御部５６０は、窒素ボンベ５４２から、保管容器１２２が保管している１以上の燃料電池ユニット４２のそれぞれに窒素を供給するタイミングを制御してよい。制御部５６０は、上記の窒素の供給量を制御してよい。制御部５６０は、間欠的に窒素を供給してもよく、連続的に窒素を供給してもよい。
【０１４４】
例えば、制御部５６０は、定期的に、燃料電池ユニット４２に窒素を供給して、燃料電池ユニット４２の酸化剤供給路及び燃料供給路の少なくとも一方の内部に残存する酸素をパージする。制御部５６０は、定期的に、燃料電池ユニット４２に、通常のパージよりも大きな流量で窒素を供給して、燃料電池ユニット４２の内部に蓄積したゴミをフラッシングしてもよい。制御部５６０は、窒素の温度及び湿度の少なくとも一方を制御してよい。
【０１４５】
制御部５６０は、窒素ボンベ５４２から、１以上の保管容器１２２のそれぞれの内部に窒素を供給するタイミングを制御してよい。制御部５６０は、上記の窒素の供給量を制御してよい。制御部５６０は、間欠的に窒素を供給してもよく、連続的に窒素を供給してもよい。制御部５６０は、窒素の温度及び湿度の少なくとも一方を制御してよい。
【０１４６】
制御部５６０は、温度調整部５４４が温度調整媒体を循環させるタイミングを制御してよい。制御部５６０は、上記の温度調整媒体の循環量を制御してよい。制御部５６０は、上記の温度調整媒体の供給温度を制御してよい。
【０１４７】
本実施形態において、制御部５６０は、保管装置１２０が保管している１以上の燃料電池ユニット４２のそれぞれの動作を制御してよい。一実施形態において、制御部５６０は、特定のタイミングにおいて、保管装置１２０が保管している１以上の燃料電池ユニット４２の少なくとも１つを稼働させることを決定する。制御部５６０は、少なくとも１つの燃料電池ユニット４２のそれぞれの発電量を決定してよい。制御部５６０は、少なくとも１つの燃料電池ユニット４２のそれぞれの発電モードを決定してよい。
【０１４８】
例えば、制御部５６０は、燃料電池ユニット４２をアイドル発電モードで稼働させることを決定する。制御部５６０は、燃料電池ユニット４２を劣化抑制モードで稼働させることを決定してもよい。劣化抑制モードにおいて、燃料電池ユニット４２は、例えば、アイドル発電モードと比較して、燃料電池スタックの劣化が抑制される運転条件で発電する。
【０１４９】
制御部５６０は、１以上の燃料電池ユニット４２のそれぞれを定期的に稼働させることを決定してよい。制御部５６０は、特定の燃料電池ユニット４２を稼働させるか否か、当該特定の燃料電池ユニット４２の発電量、及び、当該特定の燃料電池ユニット４２の発電モードの少なくとも１つを、当該特定の燃料電池ユニット４２の内部環境及び周辺環境の少なくとも一方の状態に基づいて決定してもよい。
【０１５０】
本実施形態において、電源５７０は、保管環境調整部１２４の各部に電力を供給する。電源５７０は、保管装置１２０が保管している１以上の燃料電池ユニット４２の少なくとも１つに電力を供給してもよい。例えば、電源５７０は、燃料電池ユニット４２の起動時に、燃料電池ユニット４２に電力を供給する。
【０１５１】
本実施形態において、蓄電部５７４は、電力を蓄積する。一実施形態において、蓄電部５７４は、外部電源（例えば、電力系統である。）から受領した電力を蓄積する。他の実施形態において、蓄電部５７４は、保管装置１２０が保管している１以上の燃料電池ユニット４２の少なくとも１つが発生させた電力を蓄積する。
【０１５２】
本実施形態において、電力変換部５７６は、電力を変換する。電力変換部５７６は、電力変換部２４６と同様の構成を有してよい。
【０１５３】
本実施形態によれば、保管容器１２２及び支持部５１０が、電源システム４０から取り外された燃料電池ユニット４２を密封して収容する。また、保管容器１２２の内部の環境は、保管容器１２２の外部の環境とは異なる状態に維持され得る。これにより、保管容器１２２の内部に保管されている燃料電池ユニット４２の劣化の進行が抑制され得る。さらに、本実施形態によれば、燃料電池ユニット４２が保管容器１２２の内部に収容された状態で、燃料電池ユニット４２の内部にパージガスが注入されたり、燃料電池ユニット４２が微量の電気を発生させたりする。これにより、燃料電池ユニット４２の劣化の進行がさらに抑制され得る。
【０１５４】
水素ボンベ５３２は、燃料貯蔵部の一例であってよい。コンプレッサ５３４は、第２酸化剤供給部の一例であってよい。窒素ボンベ５４２は、パージガス貯蔵部の一例であってよい。電源５７０は、電源の一例であってよい。水素は、燃料の一例であってよい。空気は、酸化剤の一例であってよい。窒素は、パージガスの一例であってよい。
【０１５５】
図６は、支持部５１０の内部構成の一例を概略的に示す。本実施形態において、支持部５１０は、本体６００と、１以上の給気ノズル６２２と、１以上の排気ノズル６２３と、１以上のセンサ６２６とを備える。本実施形態において、支持部５１０は、本体６００の一方の面の側に、ソケット６３２と、ソケット６４２と、ソケット６５２と、ソケット６６２と、ソケット６７２と、ソケット６８２とを備える。
【０１５６】
本実施形態において、本体６００は、適度な剛性を有するものであればよく、その詳細は特に限定されない。本体６００と、給気ノズル６２２、排気ノズル６２３、ソケット６３２、ソケット６４２、ソケット６５２、ソケット６６２、ソケット６７２、及び、ソケット６８２のそれぞれとの接続部分は、適切な封止剤又は封止材料により封止されてよい。これにより、保管容器１２２及び支持部５１０は、燃料電池ユニット４２の各種の配管及び配線と、保管装置１２０の対応する配管及び配線とが接続された状態で、燃料電池ユニット４２を密封して収容することができる。
【０１５７】
なお、本実施形態においては、単一の本体６００に、給気ノズル６２２、排気ノズル６２３、ソケット６３２、ソケット６４２、ソケット６５２、ソケット６６２、ソケット６７２、及び、ソケット６８２が配される場合を例として、本体６００の詳細が説明される。しかしながら、本体６００は本実施形態に限定されない。他の実施形態において、支持部５１０が、複数の本体６００を有し、給気ノズル６２２、排気ノズル６２３、ソケット６３２、ソケット６４２、ソケット６５２、ソケット６６２、ソケット６７２、及び、ソケット６８２が、複数の本体６００に分散して配されてもよい。
【０１５８】
本実施形態によれば、本体６００の外縁部において、保管容器１２２の底部と接触する領域の一部に、凹部６１０が形成される。凹部６１０には、封止部材６１２が配される。封止部材６１２は、例えば、Ｏリングであってよい。これにより、保管容器１２２及び支持部５１０は、電源システム４０から取り外された燃料電池ユニット４２を密封して収容することができる。なお、各ソケットと、本体６００とが接触する領域にも、適切な封止部材が配されてよい。また、本体６００の内部に配された各配管の周囲にも、適切な封止部材が配されてよい。
【０１５９】
本実施形態において、１以上の給気ノズル６２２のそれぞれは、保管容器１２２の内部に窒素を供給する。上記の窒素は、温度、湿度、酸素濃度、水素濃度及び微粒子濃度の少なくとも１つが所定の範囲に調整されていてよい。１以上の給気ノズル６２２のそれぞれは、配管６２０を介して、窒素ボンベ５４２と接続されてよい。１以上の給気ノズル６２２のそれぞれと、窒素ボンベ５４２との間に、流量調整弁６２１が配されてよい。流量調整弁６２１は、制御部５６０からの命令に基づいて動作してよい。本実施形態において、１以上の排気ノズル６２３は、配管６２４を介して、保管容器１２２の内部の気体を、保管容器１２２の外部に排出する。
【０１６０】
本実施形態において、１以上のセンサ６２６は、保管容器１２２の内部環境の状態を検出する。内部環境の状態としては、温度、湿度、酸素濃度、水素濃度、微粒子濃度などが例示される。１以上のセンサ６２６の検出結果を示す情報は、信号ケーブル６２７を介して、制御部５６０に出力される。
【０１６１】
本実施形態において、ソケット６３２は、燃料電池ユニット４２が保管容器１２２に保管されるときに、プラグ４３６と接続される。ソケット６３２は、配管６３０を介して、水素ボンベ５３２と接続されてよい。これにより、配管６３０及びソケット６３２を介して、水素ボンベ５３２から発電部３４０に水素が供給される。配管６３０の一端はソケット６３２と接続され、他端は水素ボンベ５３２と接続される。ソケット６３２及び水素ボンベ５３２の間に、流量調整弁６３１が配されてよい。流量調整弁６３１は、配管４３４及び配管６３０の連通状態を調整することで、発電部３４０に供給される水素の流量を調整してよい。流量調整弁６３１は、制御部５６０からの命令に基づいて動作してよい。
【０１６２】
本実施形態において、ソケット６３２は、配管６９０を介して、窒素ボンベ５４２と接続される。これにより、配管６９０及びソケット６３２を介して、窒素ボンベ５４２から発電部３４０に窒素が供給される。配管６９０の一端は、例えば、配管６３０の一部に接続される。配管６９０の他端は、窒素ボンベ５４２と接続される。配管６９０及び配管６３０の接続部と、窒素ボンベ５４２との間に、逆止弁６９２及び流量調整弁６９４が配されてよい。流量調整弁６９４は、配管４３４及び配管６９０の連通状態を調整することで、発電部３４０に供給される窒素の流量を調整してよい。流量調整弁６９４は、制御部５６０からの命令に基づいて動作してよい。
【０１６３】
本実施形態において、ソケット６４２は、燃料電池ユニット４２が保管容器１２２に保管されるときに、プラグ４４６と接続される。ソケット６４２は、配管６４０を介して、コンプレッサ５３４と接続されてよい。これにより、配管６４０及びソケット６４２を介して、コンプレッサ５３４から発電部３４０に空気が供給される。配管６４０の一端にはソケット６４２が配され、他端にはコンプレッサ５３４が配される。ソケット６４２及びコンプレッサ５３４の間に、流量調整弁６４１が配されてよい。流量調整弁６４１は、配管４４４及び配管６４０の連通状態を調整することで、発電部３４０に供給される空気の流量を調整してよい。流量調整弁６４１は、制御部５６０からの命令に基づいて動作してよい。
【０１６４】
本実施形態において、ソケット６４２は、配管６９０を介して、窒素ボンベ５４２と接続される。これにより、配管６９０及びソケット６４２を介して、窒素ボンベ５４２から発電部３４０に窒素が供給される。配管６９０の一端は、例えば、配管６４０の一部に接続される。配管６９０の他端は、窒素ボンベ５４２と接続される。配管６９０及び配管６４０の接続部と、窒素ボンベ５４２との間に、逆止弁６９６及び流量調整弁６９８が配されてよい。流量調整弁６９８は、配管４４４及び配管６９０の連通状態を調整することで、発電部３４０に供給される窒素の流量を調整してよい。流量調整弁６９８は、制御部５６０からの命令に基づいて動作してよい。
【０１６５】
本実施形態において、ソケット６５２は、配管６５０を介して、温度調整部５４４と接続される。これにより、配管６５０及びソケット６５２を介して、発電部３４０に温度調整媒体が供給される。
【０１６６】
本実施形態において、ソケット６６２は、配管６６４を介して、温度調整部５４４と接続される。これにより、ソケット６６２及び配管６６４を介して、発電部３４０から温度調整媒体が排出される。
【０１６７】
本実施形態において、ソケット６７２は、配管６７４を介して、凝縮器５５４と接続される。これにより、ソケット６７２及び配管６７４を介して、発電部３４０から排気ガスが排出される。
【０１６８】
本実施形態において、ソケット６８２は、配管６８４を介して、貯水槽５５２と接続される。これにより、ソケット６８２及び配管６８４を介して、発電部３４０から排水が排出される。
【０１６９】
本実施形態においては、説明を簡単にすることを目的として、支持部５１０が電力ケーブル用の接続部材、及び、通信ケーブル用の接続部材を有しない場合を例として、支持部５１０の詳細が説明された。しかしながら、支持部５１０は本実施形態に限定されない。他の実施形態において、支持部５１０は、電力ケーブル用の接続部材、及び、通信ケーブル用の接続部材の少なくとも一方を有してよい。
【０１７０】
例えば、支持部５１０は、保管環境調整部１２４の電源５７０と、燃料電池ユニット４２の電力コネクタ３２４とを電気的に接続するための接続部材を有する。例えば、支持部５１０は、電力コネクタ３２４に結合可能なソケットと、当該ソケット及び電源５７０を電気的に接続する電力ケーブルとを有する。なお、上述されたとおり、電力コネクタ３２４は無線給電機器を有し得る。この場合、保管環境調整部１２４が無線給電機器を有していれば、支持部５１０は、上記の接続部材を有していなくてもよい。
【０１７１】
例えば、支持部５１０は、保管環境調整部１２４の通信部５２２と、燃料電池ユニット４２の通信コネクタ３２２との間の通信を確立するための接続部材を有する。例えば、支持部５１０は、通信コネクタ３２２に結合可能なソケットと、当該ソケット及び通信部５２２とを接続する通信ケーブルとを有する。なお、上述のとおり、通信コネクタ３２２は無線通信機器を有し得る。この場合、支持部５１０は、上記の接続部材を有していなくてもよい。
【０１７２】
配管６４０は、酸化剤配管の一例であってよい。流量調整弁６４１は、第２調整部の一例であってよい。ソケット６４２は、酸化剤配管の一例であってよい。配管６９０は、パージガス配管の一例であってよい。流量調整弁６９４は、パージガス流量調整部の一例であってよい。流量調整弁６９８は、パージガス流量調整部及び第１調整部の一例であってよい。
【０１７３】
図７は、管理サーバ１４０のシステム構成の一例を概略的に示す。本実施形態において、管理サーバ１４０は、履歴情報取得部７２０と、残価算出部７３０と、保管状態管理部７４０と、電池情報格納部７５０とを備える。
【０１７４】
本実施形態において、履歴情報取得部７２０は、燃料電池ユニット４２に関する各種の履歴情報を取得する。履歴情報取得部７２０は、取得された履歴情報を、電池情報格納部７５０に格納してよい。
【０１７５】
一実施形態において、履歴情報取得部７２０は、車両２０の通信部２２６を介して、燃料電池ユニット４２が電源システム４０に取り付けられている期間における、燃料電池ユニット４２の稼働履歴を示す情報を取得する。履歴情報取得部７２０は、車両２０の通信部２２６を介して、燃料電池ユニット４２が電源システム４０に取り付けられている期間における、燃料電池ユニット４２の周辺環境の状態の変動履歴を示す情報を取得する。
【０１７６】
他の実施形態において、履歴情報取得部７２０は、保管装置１２０の通信部５２２を介して、燃料電池ユニット４２が保管装置１２０に保管されている期間における、燃料電池ユニット４２の稼働履歴を示す情報を取得する。履歴情報取得部７２０は、保管装置１２０の通信部５２２を介して、燃料電池ユニット４２が保管装置１２０に保管されている期間における、燃料電池ユニット４２の周辺環境の状態の変動履歴を示す情報を取得する。
【０１７７】
さらに他の実施形態において、履歴情報取得部７２０は、保管装置１２０に保管されていた燃料電池ユニット４２が電源システム４０に取り付けられた後、車両２０の通信部２２６を介して、燃料電池ユニット４２が保管装置１２０に保管されていた期間における、燃料電池ユニット４２の稼働履歴を示す情報を取得する。履歴情報取得部７２０は、保管装置１２０に保管されていた燃料電池ユニット４２が電源システム４０に取り付けられた後、車両２０の通信部２２６を介して、燃料電池ユニット４２が保管装置１２０に保管されていた期間における、燃料電池ユニット４２の周辺環境の状態の変動履歴を示す情報を取得する。
【０１７８】
本実施形態において、残価算出部７３０は、１以上の燃料電池ユニット４２のそれぞれの価値を評価する。残価算出部７３０は、１以上の燃料電池ユニット４２のそれぞれの価値に関する評価結果（残価と称される場合がある。）を、電池情報格納部７５０に格納してよい。
【０１７９】
一実施形態において、残価算出部７３０は、１以上の燃料電池ユニット４２のそれぞれについて、現在の発電性能を示す情報を取得する。１以上の燃料電池ユニット４２のそれぞれの発電性能を示す情報は、例えば、１以上の燃料電池ユニット４２のそれぞれを、発電性能を評価するための評価モードで稼働させることにより取得され得る。残価算出部７３０は、１以上の燃料電池ユニット４２のそれぞれの発電性能に基づいて、各燃料電池ユニットの残価を算出してもよい。残価算出部７３０は、例えば、燃料電池ユニット４２の発電性能を示す１以上の変数を説明変数とし、燃料電池ユニット４２の残価を目的変数とするテーブル、関数又はモデルを用いて、１以上の燃料電池ユニット４２のそれぞれの残価を算出する。
【０１８０】
他の実施形態において、残価算出部７３０は、履歴情報取得部７２０が取得した履歴情報に基づいて、１以上の燃料電池ユニット４２のそれぞれの残価を算出してもよい。残価算出部７３０は、例えば、１以上の燃料電池ユニット４２のそれぞれの稼働履歴、及び、１以上の燃料電池ユニット４２のそれぞれの周辺環境の状態の変動履歴の少なくとも一方に基づいて、１以上の燃料電池ユニット４２のそれぞれの残価を算出してよい。残価算出部７３０は、例えば、燃料電池ユニット４２に関する１種類以上の履歴情報を説明変数とし、燃料電池ユニット４２の残価を目的変数とするテーブル、関数又はモデルを用いて、１以上の燃料電池ユニット４２のそれぞれの残価を算出する。
【０１８１】
本実施形態において、保管状態管理部７４０は、保管装置１２０が保管している１以上の燃料電池ユニット４２のそれぞれの保管状態を管理する。例えば、保管状態管理部７４０は、残価算出部７３０が算出した燃料電池ユニット４２の残価に基づいて、燃料電池ユニット４２の保管態様を決定する。
【０１８２】
一実施形態において、保管状態管理部７４０は、特定の燃料電池ユニット４２の残価に基づいて、当該特定の燃料電池ユニット４２の内部のパージ処理及びフラッシング処理の少なくとも一方を実施するか否か、当該特定の燃料電池ユニット４２を保管する保管容器１２２の内部のパージ処理及びフラッシング処理の少なくとも一方を実施するか否か、上記のパージ処理及びフラッシング処理の頻度、並びに、上記のパージ処理及びフラッシング処理の強度の少なくとも１つを決定してよい。他の実施形態において、保管状態管理部７４０は、特定の燃料電池ユニット４２の残価に基づいて、当該特定の燃料電池ユニット４２を稼働させるか否か、当該特定の燃料電池ユニット４２の発電量、及び、当該特定の燃料電池ユニット４２の発電モードの少なくとも１つを決定してよい。保管状態管理部７４０は、特定の燃料電池ユニット４２の残価に基づいて、当該特定の燃料電池ユニット４２の稼働頻度を決定してもよい。
【０１８３】
他の実施形態において、保管状態管理部７４０は、残価算出部７３０による燃料電池ユニット４２の評価が予め定められた基準よりも低い場合、燃料電池ユニット４２を稼働して電力を発生させることを決定する。保管状態管理部７４０は、上記の燃料電池ユニット４２について、劣化の進行を抑制するための処理を実施しないことを決定してもよい。上記の燃料電池ユニット４２が発生させた電力は、保管装置１２０、又は、保管装置１２０に保管されている他の燃料電池ユニット４２により利用されてよい。
【０１８４】
さらに他の実施形態において、保管状態管理部７４０は、保管装置１２０が保管している複数の燃料電池ユニット４２のうち、残価算出部７３０による評価が予め定められた条件を満足する燃料電池ユニット４２について、当該燃料電池ユニットを稼働して電力を発生させることを決定する。予め定められた条件は、最も評価が低いという条件であってよい。保管状態管理部７４０は、上記の燃料電池ユニット４２について、劣化の進行を抑制するための処理を実施しないことを決定してもよい。上記の燃料電池ユニット４２が発生させた電力は、保管装置１２０、又は、保管装置１２０に保管されている他の燃料電池ユニット４２により利用されてよい。
【０１８５】
本実施形態において、電池情報格納部７５０は、１以上の燃料電池ユニット４２のそれぞれに関する各種の情報を格納する。例えば、電池情報格納部７５０は、１以上の燃料電池ユニット４２のそれぞれについて、履歴情報取得部７２０が取得した各種の履歴情報を格納する。電池情報格納部７５０は、１以上の燃料電池ユニット４２のそれぞれについて、残価算出部７３０が算出した残価を格納してもよい。
【０１８６】
履歴情報取得部７２０は、環境情報取得部の一例であってよい。残価算出部７３０は、価値評価部の一例であってよい。保管状態管理部７４０は、保管態様決定部の一例であってよい。
【０１８７】
図８は、本発明の複数の態様が全体的又は部分的に具現化されてよいコンピュータ３０００の一例を示す。車両２０の一部は、コンピュータ３０００により実現されてよい。例えば、車両制御部２２４、電力制御部２４８、及び、ＦＣ制御部３３０の少なくとも１つは、コンピュータ３０００により実現される。保管装置１２０の一部は、コンピュータ３０００により実現されてよい。例えば、制御部５６０は、コンピュータ３０００により実現される。管理サーバ１４０の一部は、コンピュータ３０００により実現されてよい。
【０１８８】
コンピュータ３０００にインストールされたプログラムは、コンピュータ３０００に、本発明の実施形態に係る装置に関連付けられるオペレーション又は当該装置の１又は複数の「部」として機能させ、又は当該オペレーション又は当該１又は複数の「部」を実行させることができ、及び／又はコンピュータ３０００に、本発明の実施形態に係るプロセス又は当該プロセスの段階を実行させることができる。そのようなプログラムは、コンピュータ３０００に、本明細書に記載のフローチャート及びブロック図のブロックのうちのいくつか又はすべてに関連付けられた特定のオペレーションを実行させるべく、ＣＰＵ３０１２によって実行されてよい。
【０１８９】
本実施形態によるコンピュータ３０００は、ＣＰＵ３０１２、ＲＡＭ３０１４、グラフィックコントローラ３０１６、及びディスプレイデバイス３０１８を含み、それらはホストコントローラ３０１０によって相互に接続されている。コンピュータ３０００はまた、通信インターフェース３０２２、ハードディスクドライブ３０２４、ＤＶＤ−ＲＯＭドライブ３０２６、及びＩＣカードドライブのような入出力ユニットを含み、それらは入出力コントローラ３０２０を介してホストコントローラ３０１０に接続されている。コンピュータはまた、ＲＯＭ３０３０及びキーボード３０４２のようなレガシの入出力ユニットを含み、それらは入出力チップ３０４０を介して入出力コントローラ３０２０に接続されている。
【０１９０】
ＣＰＵ３０１２は、ＲＯＭ３０３０及びＲＡＭ３０１４内に格納されたプログラムに従い動作し、それにより各ユニットを制御する。グラフィックコントローラ３０１６は、ＲＡＭ３０１４内に提供されるフレームバッファ等又はそれ自体の中に、ＣＰＵ３０１２によって生成されるイメージデータを取得し、イメージデータがディスプレイデバイス３０１８上に表示されるようにする。
【０１９１】
通信インターフェース３０２２は、ネットワークを介して他の電子デバイスと通信する。ハードディスクドライブ３０２４は、コンピュータ３０００内のＣＰＵ３０１２によって使用されるプログラム及びデータを格納する。ＤＶＤ−ＲＯＭドライブ３０２６は、プログラム又はデータをＤＶＤ−ＲＯＭ３００１から読み取り、ハードディスクドライブ３０２４にＲＡＭ３０１４を介してプログラム又はデータを提供する。ＩＣカードドライブは、プログラム及びデータをＩＣカードから読み取り、及び／又はプログラム及びデータをＩＣカードに書き込む。
【０１９２】
ＲＯＭ３０３０はその中に、アクティブ化時にコンピュータ３０００によって実行されるブートプログラム等、及び／又はコンピュータ３０００のハードウエアに依存するプログラムを格納する。入出力チップ３０４０はまた、様々な入出力ユニットをパラレルポート、シリアルポート、キーボードポート、マウスポート等を介して、入出力コントローラ３０２０に接続してよい。
【０１９３】
プログラムが、ＤＶＤ−ＲＯＭ３００１又はＩＣカードのようなコンピュータ可読記憶媒体によって提供される。プログラムは、コンピュータ可読記憶媒体から読み取られ、コンピュータ可読記憶媒体の例でもあるハードディスクドライブ３０２４、ＲＡＭ３０１４、又はＲＯＭ３０３０にインストールされ、ＣＰＵ３０１２によって実行される。これらのプログラム内に記述される情報処理は、コンピュータ３０００に読み取られ、プログラムと、上記様々なタイプのハードウエアリソースとの間の連携をもたらす。装置又は方法が、コンピュータ３０００の使用に従い情報のオペレーション又は処理を実現することによって構成されてよい。
【０１９４】
例えば、通信がコンピュータ３０００及び外部デバイス間で実行される場合、ＣＰＵ３０１２は、ＲＡＭ３０１４にロードされた通信プログラムを実行し、通信プログラムに記述された処理に基づいて、通信インターフェース３０２２に対し、通信処理を命令してよい。通信インターフェース３０２２は、ＣＰＵ３０１２の制御の下、ＲＡＭ３０１４、ハードディスクドライブ３０２４、ＤＶＤ−ＲＯＭ３００１、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【０１９５】
また、ＣＰＵ３０１２は、ハードディスクドライブ３０２４、ＤＶＤ−ＲＯＭドライブ３０２６（ＤＶＤ−ＲＯＭ３００１）、ＩＣカード等のような外部記録媒体に格納されたファイル又はデータベースの全部又は必要な部分がＲＡＭ３０１４に読み取られるようにし、ＲＡＭ３０１４上のデータに対し様々なタイプの処理を実行してよい。ＣＰＵ３０１２は次に、処理されたデータを外部記録媒体にライトバックしてよい。
【０１９６】
様々なタイプのプログラム、データ、テーブル、及びデータベースのような様々なタイプの情報が記録媒体に格納され、情報処理を受けてよい。ＣＰＵ３０１２は、ＲＡＭ３０１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ３０１４に対しライトバックする。また、ＣＰＵ３０１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ３０１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得してよい。
【０１９７】
上で説明したプログラム又はソフトウエアモジュールは、コンピュータ３０００上又はコンピュータ３０００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それにより、上記のプログラムを、ネットワークを介してコンピュータ３０００に提供する。
【０１９８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。また、各構成要素は、名称が同一で、参照符号が異なる他の構成要素と同様の特徴を有してもよい。その様な変更または改良を加えた形態も本発明の技術的範囲に含まれ得ることが、請求の範囲の記載から明らかである。
【０１９９】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【０２００】
１０  通信ネットワーク、２０  車両、４０  電源システム、４２  燃料電池ユニット、１００  燃料電池管理システム、１２０  保管装置、１２２  保管容器、１２４  保管環境調整部、１４０  管理サーバ、２２２  車両駆動部、２２４  車両制御部、２２６  通信部、２４２  燃料電池システム、２４４  蓄電部、２４６  電力変換部、２４８  電力制御部、３１２  燃料供給ユニット、３１４  酸化剤供給ユニット、３１６  温度調整媒体供給ユニット、３２２  通信コネクタ、３２４  電力コネクタ、３２６  発電用ユーティリティコネクタ、３３０  ＦＣ制御部、３３２  メモリ、３４０  発電部、３４２  センサ、３４４  配管、３５０  補機用バッテリ、４２０  本体、４３４  配管、４３６  プラグ、４３８  凹部、４４４  配管、４４６  プラグ、４４８  凹部、４５４  配管、４５６  プラグ、４５８  凹部、４６４  配管、４６６  プラグ、４６８  凹部、４７４  配管、４７６  プラグ、４７８  凹部、４８４  配管、４８６  プラグ、４８８  凹部、５１０  支持部、５２２  通信部、５３２  水素ボンベ、５３４  コンプレッサ、５４２  窒素ボンベ、５４４  温度調整部、５４６  湿度調整部、５５２  貯水槽、５５４  凝縮器、５６０  制御部、５７０  電源、５７４  蓄電部、５７６  電力変換部、６００  本体、６１０  凹部、６１２  封止部材、６２０  配管、６２２  給気ノズル、６２３  排気ノズル、６２４  配管、６２６  センサ、６２７  信号ケーブル、６３０  配管、６３１  流量調整弁、６３２  ソケット、６４０  配管、６４１  流量調整弁、６４２  ソケット、６５０  配管、６５２  ソケット、６６２  ソケット、６６４  配管、６７２  ソケット、６７４  配管、６８２  ソケット、６８４  配管、６９０  配管、６９２  逆止弁、６９４  流量調整弁、６９６  逆止弁、６９８  流量調整弁、７２０  履歴情報取得部、７３０  残価算出部、７４０  保管状態管理部、７５０  電池情報格納部、３０００  コンピュータ、３００１  ＤＶＤ−ＲＯＭ、３０１０  ホストコントローラ、３０１２  ＣＰＵ、３０１４  ＲＡＭ、３０１６  グラフィックコントローラ、３０１８  ディスプレイデバイス、３０２０  入出力コントローラ、３０２２  通信インターフェース、３０２４  ハードディスクドライブ、３０２６  ＤＶＤ−ＲＯＭドライブ、３０３０  ＲＯＭ、３０４０  入出力チップ、３０４２  キーボード
【図１】
2020136768.tif 000003
【図２】
2020136768.tif 000004
【図３】
2020136768.tif 000005
【図４】
2020136768.tif 000006
【図５】
2020136768.tif 000007
【図６】
2020136768.tif 000008
【図７】
2020136768.tif 000009
【図８】
2020136768.tif 000010
【国際調査報告】
2020136768.tif 000011
2020136768.tif 000012